(57)【特許請求の範囲】
【請求項１】
器具本体と、
前記器具本体に取り付けられ、導光体を有した表示ユニットと、
前記器具本体もしくは前記表示ユニットに取り付けられるＬＥＤユニットと、
前記ＬＥＤユニットに電力を供給して前記ＬＥＤユニットを点灯させる点灯ユニットと、
を備え、
前記ＬＥＤユニットは、
前面側に設けられ、前記導光体の１端面から光を入射させ、前記表示ユニットを光らせる表示ユニット側ＬＥＤ光源と、
後面側に設けられ、前記表示ユニット側ＬＥＤ光源とは逆向きに発光し、前記導光体を介さずに、前記器具本体の外部に発光する表示ユニット逆側ＬＥＤ光源と、
を備えることを特徴とする表示装置。
【請求項２】
前記ＬＥＤユニットは、一面に前記表示ユニット側ＬＥＤ光源が実装され、前記一面の裏面に前記表示ユニット逆側ＬＥＤ光源が実装される基板を備えていることを特徴とする請求項１の表示装置。
【請求項３】
さらに、商用電源遮断時に前記点灯ユニットに電力を供給する蓄電池を備え、
前記点灯ユニットは、商用電源通電時、前記表示ユニット側ＬＥＤ光源を点灯させ、商
用電源遮断時、前記表示ユニット側ＬＥＤ光源を点灯させるとともに、前記表示ユニット
逆側ＬＥＤ光源を点灯または点滅させることを特徴とする請求項１または請求項２のいずれかに記載の表示装置。
【請求項４】
前記ＬＥＤユニットが前記表示ユニットの下面に取り付けられることを特徴とする請求項１〜３のいずれかに記載の表示装置。
【請求項５】
前記ＬＥＤユニットが前記表示ユニットの側面に取り付けられることを特徴とする請求項１〜３のいずれかに記載の表示装置。
【請求項６】
前記表示ユニット逆側ＬＥＤ光源の光色を緑色、赤色、橙色、青色、白色または電球色とすることを特徴とする請求項１〜５のいずれかに記載の表示装置。
【請求項７】
前記表示ユニット逆側ＬＥＤ光源は、第一光色の第一ＬＥＤと、第一光色とは異なる第二光色の第二ＬＥＤからなることを特徴とする請求項１〜５のいずれかに記載の表示装置。
【請求項８】
前記第一光色と前記第二光色は、緑色、赤色、橙色、青色、白色または電球色のいずれかであることを特徴とする請求項７に記載の表示装置。
【発明の詳細な説明】
【技術分野】
【０００１】
この発明は、天井面や壁面などに取り付ける誘導灯などの表示装置に関する。
【背景技術】
【０００２】
誘導灯は災害時に屋内の人を安全に避難口へ誘導するため、図柄の表示された表示ユニットを点灯させる。しかし、今日の誘導灯は表示ユニットを点灯させるだけでなく、様々な機能を持ち合わせている。表示面だけでなく、光源の光を使用して足元を照らす機能、付属のキセノンランプを点滅させて避難口へ誘導する機能や、音声を出して避難口を誘導する機能を持った誘導灯がある。さらには、電池やランプの異常を感知し、モニタによって管理者へ知らせるなど、補助的な機能も持っている（例えば、特許文献１。）。
【先行技術文献】
【特許文献】
【０００３】
【特許文献１】特開平４−３１４０８９号公報（段落「０００８」図１参照。）
【発明の概要】
【発明が解決しようとする課題】
【０００４】
機能が多様化する中で、それに伴い構成部材が増加している。例えば、光源の光を利用して足元を照らすには透明アクリル板、点滅させるためには、キセノンランプ、異常を知らせるモニタについては、モニタ用のＬＥＤなどが必要とされていた。
【０００５】
構成部材が増える事により、コストがアップするだけでなく、さらに配線や構造が複雑化し、組立性にも影響があり、それにより表示装置の故障率が高まるなど、表示装置の不具合の増加が予想される。
【０００６】
また、表示装置内にスペースが必要となり、表示装置の小型化が困難となっていた。
【０００７】
本発明は、表示装置を構成する部品点数を抑えつつ、多様化する表示装置の機能を持たせる構造を提供する。
【課題を解決するための手段】
【０００８】
本発明の表示装置は、器具本体と、前記器具本体に取り付けられ、導光体を有した表示ユニットと、前記器具本体もしくは前記表示ユニットに取り付けられるＬＥＤユニットと、前記ＬＥＤユニットに電力を供給して前記ＬＥＤユニットを点灯させる点灯ユニットと、
を備え、前記ＬＥＤユニットは、前記導光体の１端面から光を入射させ、前記表示ユニットを光らせる表示ユニット側ＬＥＤ光源と、前記表示ユニット側ＬＥＤ光源とは逆向きに発光する表示ユニット逆側ＬＥＤ光源と、を備える。
【発明の効果】
【０００９】
本発明によれば、表示ユニットを点灯させる表示ユニット側ＬＥＤ光源とは別に表示ユニット逆側ＬＥＤ光源を搭載することにより、表示ユニット以外の部品点数の増加を抑えることができるとともに、表示装置に多様な機能を持たせる事ができ、機種数削減、コスト削減、組立性の改善が可能となる。
【図面の簡単な説明】
【００１０】
【図１】実施の形態１の誘導灯を示す斜視図である。
【図２】図１の誘導灯を示す分解斜視図である。
【図３】図１の誘導灯を示す正面図、側面図、上面図、下面図、ならびに背面図である。
【図４】図１の誘導灯の表示ユニットを示す分解斜視図である。
【図５】図１の誘導灯のＬＥＤユニットを示す正面図、上面図、ならびに、下面図である。
【図６】実施の形態１の表示ユニットの他の形態を示す正面図、上面図、ならびに、下面図である。
【図７】実施の形態２を示す表示装置の斜視図である。
【図８】図７の表示装置を示す正面図ならびに下面図である。
【図９】図７の表示装置のＬＥＤユニットを示す斜視図である。
【図１０】図９のＬＥＤユニットのＬＥＤモジュールを示す斜視図である。
【図１１】図１０のＬＥＤモジュールを示す側面図である。
【発明を実施するための形態】
【００１１】
実施の形態１．
図１は、本実施の形態を示す誘導灯の斜視図であり、図２は、図１の誘導灯を示す分解斜視図である。
【００１２】
誘導灯１０００は、箱状の器具本体１００と、この器具本体１００の開口部１０１を塞ぐように取り付けられる表示ユニット２００と、この表示ユニット２００に着脱可能に取り付けられるＬＥＤユニット３００と、器具本体１００内に取り付けられ、ＬＥＤユニット３００に電力を供給してＬＥＤユニット３００を点灯させる点灯ユニット４００と、同じく器具本体１００内に取り付けられ、点灯ユニット４００と電気的に接続される蓄電池５００と、器具本体１００に取り付けられ、外部から器具本体１００の内部に引き込まれた電線と接続する端子台６００と、を備える。
【００１３】
図３は、図１に示す誘導灯の５面図であり、図３（ａ）は、誘導灯の正面図、図３（ｂ）は、誘導灯の側面図、図３（ｃ）は、誘導灯の上面図、図３（ｄ）は、誘導灯の下面図、図３（ｅ）は、誘導灯の背面図である。
【００１４】
器具本体１００は、図３（ａ）に示すように、壁に取り付けた場合に使用する商用電源につながる電源線を器具内に挿入するための壁付用の電源用ノックアウト１１０ａ、器具を取り付けるための壁付用の取付用ノックアウト１２０ａが背面板１０２に配設されている。また、上面には天井に取り付けた場合に使用する天井付用の電源用ノックアウト１１０ｂ、取付用ノックアウト１２０ｂが配設されている。電源用ノックアウト１１０ａ、１１０ｂ、および、取付用ノックアウト１２０ａ、１２０ｂとすることで壁面取付時は上面に、壁面取付時は背面に電源線が挿入されない電源穴、ネジが挿入されない取付穴がないような構造となっている。そのため、天井付けでも壁付けでも必要な部分のみ電源用ノックアウト１１０ａ、１１０ｂ、取付用ノックアウト１２０ａ、１２０ｂを外すことで美観を損ねることはない。
【００１５】
図４は、図１の誘導灯の表示ユニットを示す分解斜視図である。
表示ユニット２００は、図４に示すように、ケース２１０と、このケース２１０に取り付けられる導光体２２０およびパネル２３０で構成される。
【００１６】
導光体２２０は、材質が樹脂であり、形状がほぼ四角形（直方体形状）となっており、端面から入射した光を屈折あるいは反射して、パネル２３０を均一に発光させる。
【００１７】
パネル２３０は、非常口などを示す避難誘導の図柄が印刷されたアクリル樹脂製の平らな板である。
【００１８】
図５は、図１の誘導灯のＬＥＤユニットを示す３面図であり、図５（ａ）は、ＬＥＤユニットの正面図、図５（ｂ）は、ＬＥＤユニットの上面図、図５（ｃ）は、ＬＥＤユニットの下面図である。
【００１９】
ＬＥＤユニット３００は、図５に示すように、ＬＥＤモジュール３１０と、このＬＥＤモジュール３１０が取り付けられるランプホルダ３２０で構成される。
【００２０】
ＬＥＤモジュール３１０は、基板３１１と、この基板３１１の表面（表示ユニット側）に実装される６個のＬＥＤ３１２ａと、基板３１１の裏面に実装されるＬＥＤ３１３ａより構成される。
【００２１】
ここで、基板３１１の表面（表示ユニット側）に取り付けられる６個のＬＥＤ３１２ａを表示ユニット側ＬＥＤ光源３１２といい、基板３１１の裏面（表示ユニット逆側）に取り付けられる１個のＬＥＤ３１３ａを表示ユニット逆側ＬＥＤ光源３１３ともいう。
【００２２】
表示ユニット側ＬＥＤ光源３１２が発する光は、導光体２２０の入光面から入射されて、出射面から出射されることにより、パネル２３０を裏面側から照らして光らせる。
【００２３】
ランプホルダ３２０は、表示ユニット逆側ＬＥＤ光源３１３の光を遮らないようにＬＥＤ挿入穴３２１と、表示ユニット２００に着脱可能に係合する係合部３２２を備える。
【００２４】
ＬＥＤ挿入穴３２１は、表示ユニット逆側ＬＥＤ光源３１３寄りが狭く、表示ユニット逆側ＬＥＤ光源３１３から離れるほど広くなるような御椀状を成しており、ＬＥＤ挿入穴３２１の表面は、表示ユニット逆側ＬＥＤ光源３１３の光を反射する反射機能を有する。
【００２５】
ＬＥＤユニット３００は、表示ユニット２００が、器具本体１００の開口部１０１を覆うように取り付けられた後、表示ユニット２００の下面に沿うように取り付けられる。このとき、ＬＥＤユニット３００は表示ユニット２００の一端部分を覆うように取り付けられており、図示していないが、ＬＥＤユニット３００（係合部３２２）から突出する突出片が器具本体１００の開口部１０１の内側に接触している。
【００２６】
したがって、ＬＥＤユニット３００を取り付けることにより、表示ユニット２００が完全に器具本体１００に固定されるとともに、表示ユニット２００にかかる下方向の力（表示ユニット２００の自重）を支えるので、ＬＥＤユニット３００を取り付けた状態では表示ユニット２００が器具本体１００から外れることはなく、表示ユニット２００が落下することはない。
【００２７】
また、表示ユニット２００とＬＥＤユニット３００の外周は、器具本体１００の外周に沿う形状となっているので、誘導灯１０００の外観がよくなる。
【００２８】
点灯ユニット４００は、常用時、商用電源からの電力が端子台６００を介して給電され、ＬＥＤユニット３００を点灯させるとともに、蓄電池５００を充電する。点灯ユニット４００は、商用電源遮断された非常時については、蓄電池５００より給電され、ＬＥＤユニット３００を点灯させる。
【００２９】
点灯ユニット４００には、蓄電池５００などを点検する点検機能を有しており、この点検機能を動作させる点検スイッチ４１０を器具本体１００の外郭からＯＮ／ＯＦＦ操作可能なように備えている。
【００３０】
点灯ユニット４００の点検機能は、例えば、点灯ユニット４００への電力の給電が商用電源から蓄電池５００に切り替わるかを確認する切替確認機能や、点灯ユニット４００への電力の給電を商用電源から蓄電池５００に所定時間切り替えて、蓄電池５００が寿命でないかを確認する蓄電池寿命点検機能などである。
【００３１】
次に、表示ユニット逆側ＬＥＤ光源３１３の詳細について説明する。
表示ユニット逆側ＬＥＤ光源３１３（ＬＥＤ３１３ａ）は、ＲＧＢ（赤色、緑色、青色）の３色のＬＥＤチップを搭載している。
【００３２】
点灯ユニット４００は、商用電源が通電されているとき、蓄電池５００を充電しているが、正常に蓄電池５００を充電しているとき、表示ユニット逆側ＬＥＤ光源３１３を、例えば緑色に発光させる。
【００３３】
また、点灯ユニット４００は、表示ユニット側ＬＥＤ光源３１２が異常（例えば、ＬＥＤ３１２ａが短絡故障、開放故障、あるいは寿命）のとき、表示ユニット逆側ＬＥＤ光源３１３を、例えば赤色に発光させる。
【００３４】
このように、表示ユニット逆側ＬＥＤ光源３１３は、通常時、誘導灯１００の機能が正常に動作しているか否かを報知するモニタとして機能する。
【００３５】
次に、商用電源が遮断される、あるいは他のビル設備機器から災害信号を受信するときなど、災害が発生したとき、点灯ユニット４００は、表示ユニット逆側ＬＥＤ光源３１３を点滅させる。このとき、点灯ユニット４００は、表示ユニット逆側ＬＥＤ光源３１３をモニタとして機能させているときに供給する電流よりも多く出力し、表示ユニット逆側ＬＥＤ光源３１３を高出力で白色に点滅させている。このように、表示ユニット逆側ＬＥＤ光源３１３を高出力で点滅させているので、いわゆる点滅形誘導灯と同様の機能を果たすことができ、煙などによって、パネル２３０が見難い環境下であっても、視認性を向上させることができる。
【００３６】
なお、災害時に表示ユニット逆側ＬＥＤ光源３１３を点滅させる場合を説明したが、災害時に表示ユニット逆側ＬＥＤ光源３１３を点灯させて、避難時に障害物を発見しやすいように、足元を照らしてもよい。
【００３７】
また、点灯ユニット４００に機能切り替えスイッチなどを設けて、災害時に表示ユニット逆側ＬＥＤ光源３１３を点滅させるか、災害時に表示ユニット逆側ＬＥＤ光源３１３を点灯させるかを選択できる機能を設けてもよい。
【００３８】
このように、表示ユニット逆側ＬＥＤ光源３１３の点灯状態と発光色を制御することにより、誘導灯１０００の多機能化を図ることができる。
【００３９】
また、多機能化によって器具本体１００のサイズが大きくなるのを防止することができるとともに、誘導灯１０００の部品点数を抑えながら、点滅形誘導灯の点滅機能、モニタの機能などを搭載することが可能となる。
【００４０】
また、本実施の形態では、表示装置の一例として誘導灯１０００の場合を説明した。そのため、パネル２３０に印刷されるピクトグラムは避難誘導を示すものであったが、その他の図柄や文字などを表示して、案内表示、広告表示などを行う表示装置としてもよいことは明らかである。
【００４１】
このような表示装置として用いる場合で、商用電源遮断時にパネル２３０を光らせる必要がない場合は、蓄電池５００を備えなくともよい。
【００４２】
また、本実施の形態では、ＬＥＤユニット３００を表示ユニット２００に取り付ける場合について説明したが、ＬＥＤユニット３００を器具本体１００に取り付けても構わず、要するに、表示ユニット側ＬＥＤ光源３１２が発する光が表示ユニット２００の導光体２２０に入射するようになっていればよい。
【００４３】
また、本実施の形態では、表示ユニット側ＬＥＤ光源３１２が、６個のＬＥＤ３１２ａで構成される場合について説明したが、ＬＥＤ３１２ａの個数は、５個以下または７個以上であっても構わない。
【００４４】
また、本実施の形態では、表示ユニット逆側ＬＥＤ光源３１３のＬＥＤ３１３ａが、ＲＧＢの３色のＬＥＤチップを備える場合について説明したが、少なくとも２色のＬＥＤチップ、例えば、Ｒ（赤色）とＧ（緑色）のＬＥＤチップで構成すればよい。これは、ＬＥＤ３１３ａを少なくとも２色のＬＥＤチップで構成すれば、モニタ機能として表示する色と、災害時に点滅（または点灯）させる色を変えることができるからである。
【００４５】
また、本実施の形態の誘導灯１０００では、表示ユニット逆側ＬＥＤ光源３１３が１個のＬＥＤ３１３ａである場合について説明したが、図６の誘導灯１０００ａのように、表示ユニット逆側ＬＥＤ光源３１３を複数のＬＥＤ３１３ｂ〜３１３ｄで構成してもよい。
【００４６】
この場合、３個のＬＥＤ３１３ｂ〜３１３ｄそれぞれ異なる色、例えば白色（ＬＥＤ３１３ｂ）、緑色（ＬＥＤ３１３ｃ）、赤色（ＬＥＤ３１３ｄ）とし、白色のＬＥＤ３１３ｂは点滅もしくは足元を照らす機能とし、その他の色のＬＥＤ３１３ｃ、３１３ｄは蓄電池５００の充電状態などを示すモニタの機能としてもよい。
【００４７】
また、表示ユニット逆側ＬＥＤ光源３１３を構成するＬＥＤ３１３ｂ〜３１３ｄの光色は、白色、緑色、赤色のほか、橙色、青色や電球色などであってもよい。
【００４８】
実施の形態２．
本実施の形態は、実施の形態１の誘導灯（表示装置）と外形形状の異なるものである。
本実施の形態において、実施の形態１と同様な構成、機能については、同符号を付し、説明を省略する。
【００４９】
図７は、実施の形態２の表示装置の斜視図であり、図８は、図７の表示装置の正面図ならびに下面図である。
【００５０】
表示装置１０００ｂは、天井に設けられた埋込穴に埋め込まれる箱状の器具本体１００ａと、この器具本体１００ａの開口部１０１ａを塞ぐとともに、天井に接する化粧パネル７００と、この化粧パネル７００のほぼ中央付近から突出する表示ユニット２００ａと、この表示ユニット２００ａに取り付けられるＬＥＤユニット３００ｂと、を備える。
【００５１】
なお、図示していないが、実施の形態１と同様に、点灯ユニット４００、端子台５００は器具本体１００ａの内側に取り付けられている。
【００５２】
図９は、図７の表示装置のＬＥＤユニットを示す斜視図であり、図１０は、図９のＬＥＤユニットの基板モジュールを示す斜視図であり、図１１は、図１０のＬＥＤモジュールを示す側面図である。
【００５３】
ＬＥＤユニット３００ｂは、表示ユニット２００ａに着脱可能に取り付けられるランプホルダ３２０ａと、このランプホルダ３２０ａに取り付けられる基板３１１と、この基板３１１に実装される表示ユニット側ＬＥＤ光源３１２（ＬＥＤ３１２ａ）と、同じく基板に実装される表示ユニット逆側ＬＥＤ光源３１３（ＬＥＤ３１３ｅ）と、を備える。
【００５４】
このように、ＬＥＤユニット３００ｂは、表示ユニット逆側ＬＥＤ光源３１３を備えるので、実施の形態１と同様の作用、効果が得られる。
【符号の説明】
【００５５】
１０００、１０００ａ  誘導灯、１０００ｂ  表示装置、１００、１００ａ  器具本体、１０１  開口部、１１０ａ、１１０ｂ  電源用ノックアウト、１２０ａ、１２０ｂ  取付用ノックアウト、２００、２００ａ  表示ユニット、２１０  ケース、２２０  導光体、２３０  パネル、３００、３００ａ、３００ｂ  ＬＥＤユニット、３１０  ＬＥＤモジュール、３１１  基板、３１２ａ、３１３ａ〜３１３ｅ  ＬＥＤ、３１２  表示ユニット側ＬＥＤ光源、３１３  表示ユニット逆側ＬＥＤ光源、３２０、３２０ａ  ランプホルダ、３２１  ＬＥＤ挿入穴、３２２  係合部、４００  点灯ユニット、４１０  点検スイッチ、５００  蓄電池、６００  端子台、７００  化粧パネル。
【図１】
0005617537.tif 000002
【図２】
0005617537.tif 000003
【図３】
0005617537.tif 000004
【図４】
0005617537.tif 000005
【図５】
0005617537.tif 000006
【図６】
0005617537.tif 000007
【図７】
0005617537.tif 000008
【図８】
0005617537.tif 000009
【図９】
0005617537.tif 000010
【図１０】
0005617537.tif 000011
【図１１】
0005617537.tif 000012